(57)【要約】【課題】  剥落しそうな継目部分の調査が必要なくなり、従来より費やされていた膨大な調査及び補修費用を大幅に削減することができる剥落防止部材及びトンネル覆工の剥落防止構造並びにトンネル覆工の施工方法を得ることにある。【解決手段】  トンネル１１の延在方向で隣接する覆工コンクリート１５，１５同士の継目１７を覆う剥落防止部材１９であって、継目１７に沿って配設される帯状の硬質な樹脂板２１と、この樹脂板２１の幅方向中央部を一方の面２１ａ側へ突出させて形成した屈曲部２３と、屈曲部２３を挟む両側に樹脂板２１の一方の面２１ａから突出して樹脂板２１の長手方向に連続して形成されるとともに突出端に膨出部２５を有する複数の係止条片２７とを設けた。【選択図】      図５
2005200839.tif 000002
【特許請求の範囲】
【請求項１】
トンネル延在方向で隣接する覆工コンクリート同士の継目を覆う剥落防止部材であって、
前記継目に沿って配設される帯状の硬質な樹脂板よりなり、
該樹脂板の幅方向略中央部を一方の面側へ突出させて形成した屈曲部と、
該屈曲部を挟む両側に前記樹脂板の一方の面から突出して前記樹脂板の長手方向に連続して形成される複数の係止条片と、
を具備したことを特徴とする剥落防止部材。
【請求項２】
前記樹脂板の幅方向両側が、前記屈曲部を中心に他方の面側へ１６０〜１７８度の角度範囲でヘ字状に屈曲されたことを特徴とする請求項１記載の剥落防止部材。
【請求項３】
トンネル延在方向で隣接する覆工コンクリート同士の継目を覆うトンネル覆工の剥落防止構造であって、
帯状の硬質な樹脂板よりなり、該樹脂板の幅方向中央部を一方の面側へ突出させて形成した屈曲部と、該屈曲部を挟む両側に前記樹脂板の一方の面から突出して前記樹脂板の長手方向に連続して形成される複数の係止条片とによって剥落防止部材が形成され、
前記樹脂板が、前記継目に沿ってトンネル内壁面と同一平面で配設され、
前記屈曲部が、前記継目に一致して埋入され、
前記係止条片が、隣接する覆工コンクリートのそれぞれに埋入されたことを特徴とするトンネル覆工の剥落防止構造。
【請求項４】
帯状の硬質な樹脂板よりなり、該樹脂板の幅方向中央部を一方の面側へ突出させて形成した屈曲部と、該屈曲部を挟む両側に前記樹脂板の一方の面から突出して前記樹脂板の長手方向に連続して形成される複数の係止条片とを具備した剥落防止部材を用い、
セントルのコンクリート打設面側の先端に前記屈曲部を一致させて前記剥落防止部材を取り付け、
前記屈曲部の外側に開口するコンクリート打設空間の開口を妻板で閉鎖してコンクリートを打設することで前記剥落防止部材の幅方向後端を打設コンクリートに埋設して前段の覆工コンクリートを形成し、
該前段の覆工コンクリートから突出した前記剥落防止部材の幅方向前端をセントルのコンクリート打設面側の後端に取り付けてコンクリートを打設することで前記剥落防止部材の幅方向前端を次段の覆工コンクリートに埋設することを特徴とするトンネル覆工の施工方法。
【発明の詳細な説明】
【技術分野】
【０００１】
本発明は、トンネル延在方向で隣接する覆工コンクリート同士の継目を覆う剥落防止部材及びトンネル覆工の剥落防止構造並びにトンネル覆工の施工方法に関する。
【背景技術】
【０００２】
例えば山岳トンネル等は、ＮＡＴＭ(New Austrian Tunnelling  Method) と呼ばれる工法で施工される。ＮＡＴＭは、地山の支持力を生かしながら、主に吹付けコンクリートとロックボルトによってトンネルの支保能力を増し、支保工を利用しないでトンネルを掘削する。本来、断面をアーチ状に形成したトンネルは、地山が安定していると、大きな支持力が得られて潰れない。ＮＡＴＭは、このような地山の支保機能を利用して掘削が行われる。一方で、亀裂や湧水の発生、地質のムラがあると支持力が低下する。このため、表面を一次覆工コンクリート、二次覆工コンクリートで固めたり、ロックボルトを打ち込み、より深いところまでトンネルを一体化させる工事が行われる。また、工事においては、主に切羽を掘削する掘削機や、ずり搬出のためのダンプトラックなどの汎用重機を使用するので、高価なシールドマシンを必要とするシールド工法に比べ、費用を抑えることができる。
【０００３】
ここで、トンネル内壁面となる二次覆工コンクリートは、下記の特許文献１に開示されるように、セントルを用いて施される。セントルは多数個が結合されており、その前方部位と後方部位とが台車に立設した支持脚にて移動可能に支持される。このセントルは打設スパーンに一致して配置され、前端面に妻板を固定し、一次覆工コンクリートとの間にコンクリートを打設してトンネルの二次覆工コンクリートを施す。そして、前段の二次覆工コンクリートに隣接して、次段の覆工コンクリートを施して行くことで、継目を挟んで前段、次段の覆工コンクリートが順次トンネルの延在方向へ施されて行く。
【特許文献１】特開平１１−１１７６９０号公報
【発明の開示】
【発明が解決しようとする課題】
【０００４】
近年、鉄道や道路のトンネル覆工面からコンクリートが剥落する事故が多発しており、一つ間違えると大事故につながりかねない。このため、赤外線や超音波を利用した調査を行ない、調査の結果、コンクリートのひび割れ、覆工面での漏水、浮き上がりなどにより、コンクリート表面の剥落が予測された場合には、そのひび割れ部分や予測部分をはつって、欠損部分を被うようにして補修用鋼板をアンカーボルトで固定している。そのため、膨大な検査費用及び補修費用が発生している。そのなかでも、クラックが生じ易く、また、湧き水等による浸食や、コンクリート収縮等による応力の影響を受け易い二次覆工コンクリート同士の継目に剥落の生じる可能性が高い。
【０００５】
一方で、トンネル内面のすべてをパネル等で覆うといった工法もあるが、膨大なコストが掛かる上、パネル内側でのひび割れ等が発見し難く、補修等が遅れる問題を包含する。また、この場合、パネル自体に収縮性がないため、コンクリート収縮に追従できない欠点を有する。さらに、難燃性を有しないものが多いため、火災に対しての対応が困難となる。また、ＮＡＴＭトンネルでは、二次覆工コンクリートの内側にシートが施工されているが、そのシートに穴が開いてしまった場合、二次覆工のコンクリート同士の継目から水が漏れ、車両、通行者を汚損する可能性もあった。
【０００６】
本発明は上記状況に鑑みてなされたもので、その第１の目的は、剥落しそうな継目部分の調査が必要なくなり、従来より費やされていた膨大な調査及び補修費用を大幅に削減することができる剥落防止部材及びトンネル覆工の剥落防止構造並びにトンネル覆工の施工方法を得ることにある。また、第２の目的は、収縮クラック発生に起因するコンクリート剥落を防止できる剥落防止部材及びトンネル覆工の剥落防止構造並びにトンネル覆工の施工方法を得ることにある。第３の目的は、後付けで継目に取り付ける場合に比べて、高い取付強度で、凹凸のない平滑なトンネル内壁面を簡易に施工できる剥落防止部材及びトンネル覆工の剥落防止構造並びにトンネル覆工の施工方法を得ることにある。
【課題を解決するための手段】
【０００７】
次に、上記の課題を解決するための手段を、実施の形態に対応する図面を参照して説明する。
本発明の請求項１記載の剥落防止部材１９は、トンネル延在方向で隣接する覆工コンクリート１５，１５同士の継目１７を覆う剥落防止部材１９であって、
前記継目１７に沿って配設される帯状の硬質な樹脂板２１よりなり、
該樹脂板２１の幅方向中央部を一方の面２１ａ側へ突出させて形成した屈曲部２３と、
該屈曲部２３を挟む両側に前記樹脂板２１の一方の面２１ａから突出して前記樹脂板２１の長手方向に連続して形成される複数の係止条片２７と、
を具備したことを特徴とする。
【０００８】
この剥落防止部材１９では、帯状の樹脂板２１が、トンネル内壁の周方向に延在する覆工コンクリート１５，１５同士の継目に長手方向を沿わして配設され、継目１７が樹脂板２１によって覆われる。そして、係止条片２７が覆工コンクリート１５，１５に埋入され、樹脂板２１が密着状態で覆工コンクリート１５の表面に高強度に保持される。また、継目１７に位置する屈曲部２３がコンクリート収縮によって生じる継目間隔の変位に追従し、コンクリート収縮に影響を受けることなく、継目１７を覆って剥落が防止される。さらに、トンネル内壁面２９の全体を覆わずに取り付けが可能となり、施工が簡易となる。また、難燃性を有する剥落防止部材１９が継目部分のみに取り付けられるので、トンネル火災においても延焼を助長することがない。なお、係止条片２７の突出端である先端部分に膨出部２５を有する形状、例えば、逆三角形などの形状など先端に向かって幅長が拡がる形状とすることで、この係止条片２７が覆工コンクリート１５，１５に埋入された状態での抜け止め効果を得ることができる。
【０００９】
請求項２記載の剥落防止部材１９は、前記樹脂板２１の幅方向両側が、前記屈曲部２３を中心に他方の面側へ１６０〜１７８度、好ましくは１６５〜１７５度の角度範囲でヘ字状に屈曲されたことを特徴とする。
【００１０】
この剥落防止部材１９では、樹脂板２１が他方の面側にヘ字状に屈曲されているので、剥落防止部材１９をセントル３１の平坦なコンクリート打設面３１ａにセットすると、樹脂板２１の幅方向両端がセントル３１のコンクリート打設面３１ａに当接され、樹脂板２１の幅方向両端、すなわち、樹脂板の幅方向後端１９ｂ及び幅方向前端１９ａがセントル３１に密着される。なお、仮に取り付けクリアランス等によって樹脂板２１の中央部がセントル３１から離反していても、この中央部はコンクリートの打設圧力によって最終的にセントル３１に密着される。これにより、コンクリート打設時に、樹脂板２１とセントル３１との間に打設コンクリートが流入するなどの不具合が防止され、剥落防止部材１９の浮きが防止される。
【００１１】
請求項３記載のトンネル覆工の剥落防止構造は、トンネル延在方向で隣接する覆工コンクリート１５，１５同士の継目１７を覆うトンネル覆工の剥落防止構造であって、
帯状の硬質な樹脂板２１よりなり、該樹脂板２１の幅方向中央部を一方の面２１ａ側へ突出させて形成した屈曲部２３と、該屈曲部２３を挟む両側に前記樹脂板２１の一方の面２１ａから突出して前記樹脂板２１の長手方向に連続して形成される複数の係止条片２７とによって剥落防止部材１９が形成され、
前記樹脂板２１が、前記継目１７に沿ってトンネル内壁面２９と同一平面で配設され、
前記屈曲部２３が、前記継目１７に一致して埋入され、
前記係止条片２７が、隣接する覆工コンクリート１５のそれぞれに埋入されたことを特徴とする。
【００１２】
このトンネル覆工の剥落防止構造では、樹脂板２１によって継目部分が覆われるとともに、係止条片２７が覆工コンクリート１５に埋入され、しかも、コンクリート収縮に屈曲部２３が追従可能となる。また、係止条片２７が継目１７を挟んで連続するので、継目１７から侵入する湧き水が屈曲部２３や係止条片２７，２７同士の間の樹脂板２１に沿って流され、トンネル左右の排水溝へと導かれる。つまり、剥落防止部材１９が排水溝として作用する。さらに、トンネル内壁面２９と、樹脂板２１の他方の面２１ｂとが同一平面に配置され、凹凸のない平滑なトンネル内壁面２９が得られる。
【００１３】
請求項４記載のトンネル覆工の施工方法は、帯状の硬質な樹脂板２１よりなり、該樹脂板２１の幅方向中央部を一方の面２１ａ側へ突出させて形成した屈曲部２３と、該屈曲部２３を挟む両側に前記樹脂板２１の一方の面２１ａから突出して前記樹脂板２１の長手方向に連続して形成される複数の係止条片２７とを具備した剥落防止部材１９を用い、
セントル３１のコンクリート打設面３１ａ側の先端３３に前記屈曲部２３を一致させて前記剥落防止部材１９を取り付け、
前記屈曲部２３の外側に開口するコンクリート打設空間３５の開口を妻板３７で閉鎖してコンクリートを打設することで前記剥落防止部材１９の幅方向後端１９ｂを打設コンクリートに埋設して前段の覆工コンクリート１５を形成し、
該前段の覆工コンクリート１５から突出した前記剥落防止部材１９の幅方向前端１９ａをセントル３１のコンクリート打設面３１ａ側の後端３２に取り付けてコンクリートを打設することで前記剥落防止部材１９の幅方向前端１９ａを次段の覆工コンクリート１５に埋設することを特徴とする。
【００１４】
このトンネル覆工の施工方法では、前段の覆工コンクリート１５を施すコンクリート打設時に、剥落防止部材１９の幅方向後端１９ｂが、また、次段の覆工コンクリート１５を施すコンクリート打設時に、剥落防止部材１９の幅方向前端１９ａがセントル３１にセットされ、これによって係止条片２７が覆工コンクリート１５に埋設されると同時に、表出面となる樹脂板２１の他方の面２１ｂが覆工コンクリート１５の仕上げ面と同一平面に配置される。
【発明の効果】
【００１５】
本発明に係る請求項１記載の剥落防止部材によれば、継目に沿って配設される帯状の硬質な樹脂板と、樹脂板の幅方向中央部を一方の面側へ突出させて形成した屈曲部と、樹脂板の一方の面から突出する複数の係止条片とを備えるので、樹脂板によって継目を覆い、継目部分の剥落を防止できるとともに、係止条片を覆工コンクリートに埋入させ、樹脂板を密着状態にして補強構造を形成でき、しかも、コンクリート収縮に屈曲部を追従させて、収縮クラック発生に起因するコンクリート剥落も防止できる。また、トンネル内壁面の全体を覆わずに施工ができるので、安価な施工コストで十分な剥落防止効果を得ることができる。
【００１６】
請求項２記載の剥落防止部材によれば、樹脂板の幅方向両側が、屈曲部を中心に他方の面側へ１６０〜１７８度の角度範囲でヘ字状に屈曲されるので、セントルに剥落防止部材をセットする際、剥落防止部材の浮きを防止して、幅方向両端を確実にセントルのコンクリート打設面に密着でき、樹脂板とセントルとの間の打設コンクリートの流入を防止できる。この結果、常にセントルと樹脂板とを密接させた状態でコンクリートを打設でき、トンネル内壁面と樹脂板とを外観の良好な同一平面に仕上げることができる。
【００１７】
請求項３記載のトンネル覆工の剥落防止構造によれば、樹脂板が継目に沿ってトンネル内壁面と同一平面で配設され、屈曲部が継目に一致して埋入され、係止条片が隣接する覆工コンクリートのそれぞれに埋入されるので、樹脂板によって継目部分の剥落を防止できるとともに、係止条片を覆工コンクリートに埋入させ、樹脂板を密着状態にして補強構造を形成でき、しかも、コンクリート収縮に屈曲部を追従させて、収縮クラック発生に起因するコンクリート剥落も防止できる。また、継目から侵入する湧き水を屈曲部に沿わしてトンネル左右の排水溝へ導くこともできる。さらに、トンネル内壁面と樹脂板とを平滑にできるので、良好な外観を得ることができる。この結果、剥落しそうな継目部分の調査が必要なくなり、従来費やされていた膨大な調査及び補修費用を大幅に削減することができる。
【００１８】
請求項４記載のトンネル覆工の施工方法によれば、屈曲部をセントルの先端に一致させて剥落防止部材を取り付け、剥落防止部材の幅方向後端を打設コンクリートに埋設して前段の覆工コンクリートを形成した後、突出した剥落防止部材の幅方向前端をセントルに取り付けて次段の覆工コンクリートに埋設するので、コンクリート打設時においてのセントルへのセットが可能となり、また、これによって係止条片が覆工コンクリートに埋設されることから、後付けで継目に取り付ける場合に比べて、高い取付強度で、凹凸のない平滑なトンネル内壁面を簡易に施工することができる。
【発明を実施するための最良の形態】
【００１９】
以下、本発明に係る剥落防止部材及びトンネル覆工の剥落防止構造並びにトンネル覆工の施工方法の好適な実施の形態を図面を参照して詳細に説明する。
図１は本発明に係る剥落防止構造によって施工されたトンネル内壁面の斜視図、図２は剥落防止構造に用いられる剥落防止部材の正面図である。
ＮＡＴＭトンネル１１には一次覆工コンクリート１３の内周側に二次覆工コンクリート１５が施されている。トンネル１１の延在方向に隣接する二次覆工コンクリート１５，１５同士の継目１７には剥落防止部材１９が配設されている。つまり、剥落防止部材１９は、覆工コンクリート１５，１５同士の継目１７を覆っている。
【００２０】
剥落防止部材１９は、継目１７に沿って配設される図２に示す帯状の樹脂板２１よりなり、樹脂板２１の幅方向中央部を一方の面２１ａ側へ突出させて形成した屈曲部２３と、この屈曲部２３を挟む両側に樹脂板２１の一方の面２１ａから突出して、樹脂板２１の長手方向に連続して形成されるとともに、突出端に膨出部２５を有する複数の係止条片２７とからなる。なお、図２に示すように、本実施の形態では屈曲部２３をＵ字状に形成している。剥落防止部材１９は、耐腐食性を有する難燃性の合成樹脂、例えば硬質塩化ビニルなどにより一体成形される。すなわち、図２に示す形状を口金開口形状とした押出し長尺材として製作することができる。また、係止条片２７の突出端の膨出部２５の形状は、図２に示す略矩形状としてもよく、或いは逆三角形状や円形状，楕円形状など、先端に向かって幅長が大きくなる形状が好ましく、また、Ｖ字状に形成されるものや、翼状の小片形状のものを斜めに植設するような形状としてもよく、すなわち覆工コンクリートに係止条片２７が埋設された状態で抜け止めとなる形状であればいずれの形状でもよい。
【００２１】
剥落防止部材１９は、例えば幅（図２の左右方向）２８０ｍｍ、長さは好ましくはトンネル内周の周方向の長さに連続する長さの帯板形状とされ、長手方向に接続されて、継目１７を覆いながら、トンネル内壁面２９の周方向に沿って配設される。長手方向の端部同士は、目地材などを注入固化させたり、或いはＴ字状の別部材を接着して接続される。
【００２２】
剥落防止部材１９は、樹脂板２１の幅方向両側（図２の左右端側）が、屈曲部２３を中心に平滑な他方の面２１ｂ側へ１６０〜１７８度、好ましくは１６５〜１７５度の角度α範囲でヘ字状に屈曲されている。剥落防止部材１９は、このように樹脂板２１がヘ字状に屈曲されていることで、後述のセントル（型枠）の平坦なコンクリート打設面にセットすると、樹脂板２１の幅方向両端がコンクリート打設面であるセントル３１に当接され、樹脂板２１の幅方向両端、すなわち、樹脂板２１の幅方向後端及び幅方向前端がセントルに密着される。なお、仮に取り付けクリアランス等によって樹脂板２１の中央部がセントルから離反していても、この中央部はコンクリートの打設圧力によって最終的にセントルに密着される。これにより、コンクリート打設時に、樹脂板２１とセントルとの間に打設コンクリートが流入する剥落防止部材の浮きが防止される。
【００２３】
剥落防止部材１９は、このように全体が硬質な樹脂板２１を屈曲部２３を中心に平滑な面（他方の面）２１ｂ側にヘ字状に屈曲させることで、常にセントル３１と樹脂板２１とを密接させた状態でコンクリートを打設でき、トンネル内壁面２９と樹脂板２１とを外観の良好な同一平面に仕上げることができる。
【００２４】
この剥落防止部材１９は、帯状の樹脂板２１が、トンネル内壁面２９の周方向に延在する二次覆工コンクリート１５，１５同士の継目１７に長手方向を沿わして配設され、継目１７が樹脂板２１によって覆われる。そして、係止条片２７が二次覆工コンクリート１５に埋入され、樹脂板２１が密着状態で覆工コンクリート１５の表面に高強度に保持される。また、継目１７に位置する屈曲部２３がコンクリート収縮によって生じる継目間隔の変位に追従し、コンクリート収縮に影響を受けることなく、継目を覆って剥落が防止される。さらに、トンネル内壁面２９の全体を覆わずに取り付けが可能となり、施工が簡易となる。また、難燃性を有する剥落防止部材１９が継目部分のみに取り付けられるので、トンネル火災においても延焼を助長することがない。
【００２５】
この結果、樹脂板２１を密着状態にして補強構造を形成でき、しかも、コンクリート収縮に屈曲部２３を追従させて、収縮クラック発生に起因するコンクリート剥落も防止できる。また、トンネル内壁面２９の全体を覆わずに施工ができるので、安価な施工コストで十分な剥落防止効果を得ることができる。
【００２６】
また、この剥落防止部材１９を用いたトンネル覆工の剥落防止構造では、継目１７から侵入する湧き水が屈曲部２３に沿って流される。つまり、剥落防止部材１９が排水溝として作用する。さらに、トンネル内壁面２９と、樹脂板２１の他方の面２１ｂとが同一平面に配置され、凹凸のない平滑なトンネル内壁面２９が得られる。
【００２７】
したがって、このトンネル覆工の剥落防止構造によれば、樹脂板２１を密着状態にして補強構造を形成でき、しかも、コンクリート収縮に屈曲部２３を追従させて、収縮クラック発生に起因するコンクリート剥落も防止できる。また、湧き水が発生した際にはトンネル左右の排水溝へ導くこともでき、さらに、トンネル内壁面２９と樹脂板２１とを平滑にできるので、良好な外観を得ることができる。この結果、剥落しそうな継目部分の調査が必要なくなり、従来費やされていた膨大な調査及び補修費用を大幅に削減することができる。
【００２８】
次に、上記剥落防止部材を用いたトンネル覆工の施工方法を説明する。
図３は前段の二次覆工が施された状態の施工方法の説明図、図４は前段の二次覆工を終えてセントルが取り外された状態の説明図、図５は次段の二次覆工が施されたトンネルの要部縦断面図である。
【００２９】
本実施の形態では、一次覆工コンクリート１３の内周側に二次覆工コンクリート１５が施される場合を例に説明するが、本発明に係るトンネル覆工の施工方法は、一次覆工コンクリート１３のみ、或いは二次以上の覆工が施されるものであってもよく、いずれの場合も、トンネル内壁面２９を形成することになる最も内側に施される覆工コンクリートの継目１７に適用される。
【００３０】
トンネル１１の掘削は、掘削機等の汎用重機によって行われる。地山掘削の後、地山には一次覆工、二次覆工が施される。図３に示す一次覆工コンクリート１３は、掘削されたトンネル壁面（地山面）を、掘削の後端部分で、吹付コンクリートで覆う、或いはセグメントを立て込むなどして形成する。一次覆工後には、防水シート（樹脂製シート）の展着或いは樹脂を吹きつけるなどして防水層を形成し、地山側からの浸水を防止する。
【００３１】
一次覆工コンクリート１３の施されたトンネル１１の内周側には、前段の二次覆工コンクリート１５が施されている。この前段の二次覆工コンクリート１５には、図４に示すように、剥落防止部材１９の幅方向後端１９ｂが埋設状態となっており、その結果、前段の二次覆工コンクリート１５の前端面１６からは剥落防止部材１９の幅方向前端１９ａが突出している。この埋設済みの剥落防止部材１９は、これから述べる手順によって次段の二次覆工コンクリート１５に埋設されるものである。
【００３２】
二次覆工は、鋼製可動式のセントルやセントルフォームと言われるトンネル覆工用型枠をトンネル延在方向に数メートルスパーンで配置し、一次覆工面との間にコンクリートを打設して成形する。
【００３３】
すなわち、次段の二次覆工コンクリート１５を施すには、先ず、前段の二次覆工コンクリート１５から突出した剥落防止部材１９の幅方向前端１９ａをセントル３１のコンクリート打設面３１ａの後端３２に取り付ける。また、セントル３１のコンクリート打設面３１ａ側の先端３３に、屈曲部２３を一致させて新たな剥落防止部材１９を取り付ける。
【００３４】
次いで、屈曲部２３の外側に開口するコンクリート打設空間３５の開口を妻板３７で閉鎖する。なお、一次覆工コンクリート１３と妻板３７との間隙には、一次覆工コンクリート１３側の凹凸などを許容して略密着状態とし、シールするエアーフェンス３９が配置される。この際、セントル３１の先端３３から突出する剥落防止部材１９の幅方向前端１９ａは、妻板３７の押さえ板４１と、支持板４３とによって水平に挟持される。これにより、剥落防止部材１９の幅方向後端１９ｂは、セントル３１のコンクリート打設面３１ａに押付けられて平坦に矯正される。
【００３５】
次いで、コンクリート打設空間３５にコンクリートを打設することで、図５に示すように、剥落防止部材１９の幅方向後端１９ｂを打設コンクリートに埋設して次段の二次覆工コンクリート１５を形成する。これにより、前段の二次覆工コンクリート１５から突出した剥落防止部材１９は、幅方向前端１９ａが次段の覆工コンクリートに埋設され、継目１７が剥落防止部材１９に覆われることになる。
【００３６】
所定の期間、養生を行って打設コンクリートを固化させた後、脱型して二次覆工コンクリート１５の内周面及び剥落防止部材１９の他方の面２１ｂを表出させる（図５参照）。この二次覆工コンクリート１５で形成されたトンネル内壁面２９が仕上がり面となる。
【００３７】
このトンネル覆工の施工方法では、前段の二次覆工コンクリート１５を施すコンクリート打設時に、剥落防止部材１９の幅方向後端１９ｂが、また、次段の二次覆工コンクリート１５を施すコンクリート打設時に、前段の二次覆工コンクリート１５から突出した剥落防止部材１９の幅方向前端１９ａがセントル３１にセットされ、これによって係止条片２７が二次覆工コンクリート１５に埋設されると同時に、表出面となる樹脂板２１の他方の面２１ｂが二次覆工コンクリート１５の仕上げ面と同一平面に配置される。
【００３８】
したがって、このトンネル覆工の施工方法によれば、屈曲部２３をセントル３１の先端３３に一致させて剥落防止部材１９を取り付け、剥落防止部材１９の幅方向後端１９ｂを打設コンクリートに埋設して前段の二次覆工コンクリート１５を形成した後、突出した剥落防止部材１９の幅方向前端１９ａをセントル３１に取り付けて次段の二次覆工コンクリート１５に埋設するので、コンクリート打設時においてのセントルへ３１のセットが可能となり、また、これによって係止条片２７が二次覆工コンクリート１５に埋設されることから、後付けで継目１７に取り付ける場合に比べて、高い取付強度で、凹凸のない平滑なトンネル内壁面２９を簡易に施工することができる。
【図面の簡単な説明】
【００３９】
【図１】本発明に係る剥落防止構造によって施工されたトンネル内壁面の斜視図である。
【図２】剥落防止構造に用いられる剥落防止部材の正面図である。
【図３】前段の二次覆工が施された状態の施工方法の説明図である。
【図４】前段の二次覆工を終えセントルが取り外された状態の説明図である。
【図５】次段の二次覆工が施されたトンネルの要部縦断面図である。
【符号の説明】
【００４０】
１５…隣接する覆工コンクリート
１７…継目
１９…剥落防止部材
１９ａ…幅方向前端
１９ｂ…幅方向後端
２１…樹脂板
２１ａ…一方の面
２１ｂ…他方の面
２３…屈曲部
２５…膨出部
２７…係止条片
２９…トンネル内壁面
３１…セントル
３２…コンクリート打設面側の後端
３３…コンクリート打設面側の先端
３５…コンクリート打設空間
３７…妻板
【図１】
2005200839.tif 000003
【図２】
2005200839.tif 000004
【図３】
2005200839.tif 000005
【図４】
2005200839.tif 000006
【図５】
2005200839.tif 000007